(57)【要約】【課題】  光学測定器で測定する上で目的の成分以外の成分が混在することが多い。例えば尿糖（尿中のグルコース）の旋光測定の場合は、尿中にビタミンCやアミノ酸が排泄されることがある。フィルターを通過させることも考えられるが、グルコースの分子量（１８０）とビタミンCやアミノ酸は似通っていることから、分子の大きさで分離するのは困難である。【解決手段】  陽極の電極１０と陰極の電極１１の間に隔膜９を配置する構造とする。例えばイオン交換膜が陰イオン交換膜であれば、水の電気分解によって酸性の領域７とアルカリ性の領域８に分かれる。アルカリ性の領域８のビタミンＣおよびアミノ酸は陰イオンとなり、陰イオン交換樹脂を通過して酸性の領域７へ電気泳動される。領域７のアミノ酸は陽イオンに変化するが、陰イオン交換膜を通過できないので領域８に戻れない。  【選択図】      図２
2005283193.tif 000002
【特許請求の範囲】
【請求項１】
試料容器に入れられる試料に光を透過させることによって光特性を測定する光学測定装置であって、前記試料容器に複数の電極と、前記試料容器を複数の領域に分ける隔膜とを有し、前記複数の領域の少なくとも一つに前記試料に光を透過させるための光路を有する光学測定装置。
【請求項２】
前記試料が液体であり、前記電極に電圧を印加して、前記試料中の測定対象物質の光特性を測定する場合に阻害要因となる測定妨害物質を前記光路から離間させて光特性が測定されることを特徴とする請求項１に記載の光学測定装置。
【請求項３】
前記試料が液体であり、前記電極に電圧を印加する前に光特性を測定するとともに、前記電極に電圧を印加して光特性を測定し、その差異から光特性が算出されることを特徴とする請求項１に記載の光学測定装置。
【請求項４】
前記光路が前記電極から離れたところに設けられていることを特徴とする請求項１から請求項３のいずれか一項に記載の光学測定装置。
【請求項５】
前記光特性が旋光度であることを特徴とする請求項１から請求項４のいずれか一項に記載の光学測定装置。
【請求項６】
前記光特性が光透過率であることを特徴とする請求項１から請求項４のいずれか一項に記載の光学測定装置。
【請求項７】
前記隔膜がイオン交換膜であることを特徴とする請求項１から請求項６のいずれか一項に記載の光学測定装置。
【請求項８】
前記隔膜がバイポーラ膜であることを特徴とする請求項１から請求項７のいずれか一項に記載の光学測定装置。
【請求項９】
陽極側の電極と前記隔膜とに挟まれる領域を低ｐＨとし、陰極側の電極と前記隔膜とに挟まれる領域を高ｐＨとすることを特徴とする請求項１から請求項８のいずれか一項に記載の光学測定装置。
【請求項１０】
陽極側の電極と前記隔膜とに挟まれる領域を高ｐＨとし、陰極側の電極と前記隔膜とに挟まれる領域を低ｐＨとすることを特徴とする請求項１から請求項８のいずれか一項に記載の光学測定装置。
【請求項１１】
前記陽極側の電極と前記隔膜とに挟まれる領域か、前記陰極側の電極と前記隔膜に挟まれる領域のうち、どちらか一方の領域について前記光特性の測定を行うことを特徴とする請求項９または請求項１０に記載の光学測定装置。
【請求項１２】
電極近傍に絶縁膜を有することを特徴とする請求項１から請求項１１のいずれか一項に記載の光学測定装置。
【発明の詳細な説明】
【技術分野】
【０００１】
本発明は光学測定装置に関し、特に液体成分の試料中に含まれる旋光性物質の濃度を高精度に測定する技術に関するものでである。
【背景技術】
【０００２】
従来、試料中の旋光性物質の濃度を測定する手段として、試料に光線を入射してその旋光角より濃度を求める方式が知られており、この方法は非常に有用であるとされる。すなわち、例えばグルコース濃度を測定する方法としては、一般にＧＯＤ法などの酵素を用いた酵素法が知られているが、この方法では電極を試料に接触させる必要があり、また測定原理上、測定回数に限度があるため一定期間ごとのメンテナンスや、装置の一部の交換、緩衝液の追加などの処置を行う必要が生じる。その点、光線を用いる旋光角測定方式に於いては直接試料に触れることなく測定することが可能であるため、比較的長い期間において特にメンテナンス等を必要とせず測定が可能である。ここで、その期間は光源の寿命、もしくは試料セルの汚れなどに依存する。
【０００３】
旋光角より試料中の旋光性物質の濃度を求める方法の原理は式１に基づく。
θ（λ）＝α（λ）・ｃ・Ｌ（式１）
ここで、θ（λ）は光線の波長をλとしたときの旋光角、α（λ）は光線の波長をλとしたときの旋光性物質の比旋光度、ｃは試料中における旋光性物質の濃度、Ｌは試料の光路長である。式１において、比旋光度α（λ）は旋光性物質固有の係数であり、光線の波長λや温度によって変化する値ではあるが、濃度測定前に既知の値である。また、試料の光路長Ｌも同様に濃度測定前に既知の値であるため、試料に光線を入射したときの旋光角θ（λ）を測定することにより、旋光性物質の濃度ｃを求めることが出来る。
【０００４】
また、旋光角は、直線偏光を試料に入射させ、試料を通過した光線を検光子へ入射させ、検光子を透過した光線をフォトダイオードなどの受光素子に入射し、光電変換することによって得られた信号を用いて求める。すなわち、偏光子の透過軸に対する検光子の透過軸の傾きをφとし、試料による旋光角をβとすると、受光素子で受光する光強度Ｉは、
Ｉ＝Ｔ×Ｉ0ｃｏｓ2（φ−β）（式２）
となる。
【０００５】
ここで、Ｔは試料、偏光子、及び検光子の反射や吸収による減衰すべてを考慮した透過率、Ｉ0は入射光の強度を表す。式２より分かる様に、光強度Ｉはφが変化することによって変化し、回転角度π（ｒａｄ）毎に極小点が得られる。よって、偏光子の透過軸に対する検光子の透過軸の傾きφを変化させたときの光強度Ｉを測定することによって試料による旋光角βを求めることが出来る。
【０００６】
ここで、偏光子の透過軸に対する検光子の透過軸の傾きφを変化させる方法としては、第一に偏光子を回転させる方法が考えられるが、この方法では機械的動作が必要となってしまうため、装置として比較的大型になるという課題があった。そこで旋光角変調素子としてファラデー素子（例えば、特許文献１参照。）や液晶素子を用いて電気的に偏光面を変調する方法が挙げられる。
【０００７】
直線光を旋光させるために液晶素子を使用することついては、液晶素子とλ／４板を組み合わせたセナーモント旋光器があり、発展系としては可変電圧印加可能な３つの液晶素子を光照射方向に対して直列に配置させ、より自由度の高い光変調が可能になる装置の発明がある（例えば、特許文献２参照。）。また、液晶素子の旋光性を用いた濃度測定装置
としては、従来の機械的な動作部が無いことを特徴としている発明がある（例えば、特許文献３参照。）。さらなる発展形として、液晶素子による位相変調を周期的に行うことにより高精度で安定した測定が可能な発明もある（例えば、特許文献４参照。）。
【０００８】
図５は、上記文献での光学系を表している。レーザダイオード２１から出射した光束は、レンズ２２でコリメートされ、平行光となり、偏光子２３Ａにより、垂直方向から４５°傾斜した方向に振動する直線偏光になる。次に、液晶素子３１により水平方向もしくは垂直方向の偏光成分が位相変調される。液晶素子３１は、水平方向もしくは垂直方向に液晶分子長軸が揃ったホモジニアス配向の液晶素子であり、電圧印加により液晶分子が立ち、分子長軸方向の屈折率が変化し、位相変調を行う事ができる。
ここで、液晶素子３１により一方の偏光成分のみに位相変調を加えると、直交する偏光成分同士で干渉させる事になる。
【０００９】
次に、透過光はハーフミラー２４により反射光３６と直進光３０に分岐され、直進光３０は、水平軸と垂直軸が４５°傾斜した４分の１波長板２６Ａに入射し、水平・垂直方向の振動成分をそれぞれ反対方向に回転する円偏光成分に変換する事ができる。さらに、直進光３０は試料を保持した試料容器２５に入射し、試料の旋光度に伴った右回り円偏光と左回り円偏光間で±θの位相差が与えられる。さらに、４分の１波長板２６Ａと光軸が一致もしくは直交する４分の１波長板２６Ｂを透過し、左右回りの円偏光が、それぞれ水平もしくは垂直方向に直交する偏光成分に変換される。
【００１０】
水平もしくは垂直方向から４５°傾斜した偏光子２３Ｂを透過する事により、上述の直交する偏光成分間の干渉信号が得られ、一方の光速が位相変調されているためビート信号が得られ、フォトダイオード２９Ａにより電気信号に変換される。フォトダイオード２９Ｂより得られるビート信号は、試料の旋光度の影響は受けておらず、フォトダイオード２９Ａ、２９Ｂの信号間により検出される位相差により、試料の旋光度が検出されることによって濃度を求める事ができる。
【００１１】
上記一連の制御は１チップマイコンを含む制御回路２０によって行われる。すなわち液晶素子３１は、制御２０からの配線３２により伝達される信号により駆動され、受光素子２９Ｂからの配線３３により伝達される信号と、受光素子２９Ａからの配線３４により伝達される信号をシステム処理して濃度を計算する機能を持つ。
【特許文献１】特開平７−２１８８８９号公報（図３）
【特許文献２】特開平９−１４５６０５号公報（図１）
【特許文献３】特開２００１−３５６０８９号公報（図２）
【特許文献４】特開２００２−２７７３８７号公報（図３）
【発明の開示】
【発明が解決しようとする課題】
【００１２】
しかし、上記の方法により旋光角を求めることは可能だが、実際の測定試料は目的とする旋光性成分以外の旋光性成分が混在することが多い。例えば尿糖（尿中のグルコース）測定の場合は、尿中にビタミンC（比旋光度２３°）がサプリメントの摂取などにより排泄されることがある。フィルターを通過させることも考えられるが、グルコースの分子量（１８０）とビタミンCの分子量（１７６）は似通っていることから、分子の大きさで分離するのは困難である。また、尿中には旋光性を有する複数のアミノ酸も排泄され、分子量はグルコースとほぼ同じであり、分子の大きさで分離するのは困難である。また、電界
を印加しても、ビタミンＣは電気泳動により還元されるが、多くのアミノ酸は両性アミノ酸となっている可能性が高く、電気泳動されない。
【００１３】
そこで、本発明では上述した従来技術による問題点を解消し、目的の成分の旋光度を測定することが可能な光学測定装置を提供することを目的とする。
【課題を解決するための手段】
【００１４】
これらの課題を解決するために本発明による光学測定装置は、試料容器に入れられる試料に光を透過させることによって光特性を測定する光学測定装置であって、試料容器に複数の電極と、試料容器を複数の領域に分ける隔膜とを有し、複数の領域の少なくとも一つに試料に光を透過させるための光路を有することを特徴とする。
また、試料が液体であり、電極に電圧を印加して、試料中の測定対象物質の光特性を測定する場合に阻害要因となる測定妨害物質を光路から離間させて光特性が測定される。
さらには、試料が液体であり、電極に電圧を印加する前に光特性を測定するとともに、電極に電圧を印加して光特性を測定し、その差異から光特性が算出される。
また、光路が電極から離れたところに設けられているのが好ましい。また、光特性が旋光度であることが有用であり、光透過率でも有用である。さらに、隔膜がイオン交換膜であることが好ましく、隔膜がバイポーラ膜でも好ましい。
また、陽極側の電極と隔膜とに挟まれる領域を低ｐＨとし、陰極側の電極と隔膜とに挟まれる領域を高ｐＨとするか、または陽極側の電極と前記隔膜とに挟まれる領域を高ｐＨとし、陰極側の電極と前記隔膜とに挟まれる領域を低ｐＨとすることが望ましい。また、陽極側の電極と隔膜とに挟まれる領域か、陰極側の電極と隔膜に挟まれる領域のうち、どちらか一方の領域について光特性の測定を行うことが好ましい。また、電極近傍に絶縁膜を有することがより好ましい。
【００１５】
（作用）
試料中の旋光性物質による旋光角を測定することにより試料中の旋光性物質の濃度を測定する光学測定装置において、例えば尿糖測定の場合は、サプリメントの摂取などにより排泄される尿中に存在するビタミンCや種々のアミノ酸を除去する必要がある。簡単な方法としては測定容器に電極を設けて電界を印加することが考えられる。通常の尿のｐＨは５〜７であり、ビタミンCは陰イオンの状態であるので、陰電極と陽電極間の電界により電気泳動されて陽電極側に移動する。従って、電極から離れた箇所に測定光路を設定することによって尿中グルコースのみの測定は可能である。しかしながら、尿中のいくつかのアミノ酸は上記ｐＨにおいては双極性を有する状態の場合が多く、電気泳動は起こらない。
【００１６】
そこで、本発明においては図２に示すごとく、陽極の電極１０と陰極の電極１１の間に隔膜９を配置する構造とする。例えば隔膜９が陰イオン交換膜であれば、水の電気分解によって酸性の領域７とアルカリ性の領域８に分かれる。アルカリ性の領域８のビタミンＣおよびアミノ酸は陰イオンとなり、陰イオン交換樹脂を通過して酸性の領域７へ電気泳動される。領域７のアミノ酸は陽イオンに変化するが、陰イオン交換膜を通過できないので領域８に戻れない。ここで、陽極の電極１０および陰極の電極１１は水の電気分解の役目と電気泳動のための電界印加の役目をする。
すなわち、酸性である領域８にはほとんどイオン化していない旋光性成分であるグルコースが残留することとなる。領域８に光路断面１２のごとく光を通過させて旋光度を測定することによってグルコース濃度を測定できる。
【００１７】
また、実際に電解を加えて電流が流れる状態にすると、電極付近では酸化還元反応が起こるので分子間の反応により新たな成分が発生する可能性があり、電極の摩耗も激しくなる。従って、高電圧で大電流を流すことは好ましくない。そこで、図３に示すごとく水の
電気分解ではなく、陰イオン交換膜と陽イオン交換膜を組み合わせたバイポーラ膜を使用する整流性による電気泳動によりｐＨ調整を行う。すなわち、溶液中のＨ+イオンはバイポーラ膜である隔膜４９を介して領域４８に電気泳動され、ＯＨ-イオンはバイポーラ膜である隔膜４９を介して陽電極側に電気泳動される。この時、陽電極と陰電極の間に加わる電圧は、水の電気分解に必要な電圧より低いので両電極付近では水素ガスや、酸素ガスは発生しない。
【００１８】
さらには、図４に示すごとく陰極である電極１１付近に陰イオン交換膜である隔膜５３を配置して陽イオンが接近しないようにし、陽極である電極１０付近に陽イオン交換膜である隔膜５２を配置して陰イオンが接近しなようにすることによって、比較的高い電圧を両電極に加えて、電気泳動速度を速めることが出来る。
【発明の効果】
【００１９】
以上の説明のように、本発明の光学測定装置においては、下記に記載する効果を有する。
【００２０】
試料中に含まれる旋光性物質の濃度を、試料中の旋光性物質による旋光度から求める光学測定装置において、イオン交換膜を備えてｐＨ調整して、目的の成分以外の旋光性成分を除いた領域を測定できるので、高精度の光学測定が可能となる。また、特別な試薬は不要であるので準メンテナンスフリーとなる。さらには、陰電極付近には陰イオン交換膜を配置して陽イオンが接近しないようにし、陽電極付近に陽イオン交換膜を配置して陰イオンが接近しなようにすることによって、  高い電圧を両電極に加えても電極付近で溶液内の分子反応が起きない。
【００２１】
光特性によって液体の成分濃度を測定する光学測定装置であり、隔膜と電極を備えた容器に、液体を流し込み、電極に電圧印加して、成分濃度が測定される。光学特性が旋光度である場合は効果が大きい。隔膜がイオン交換膜であれば、測定対象成分以外のイオンを除去しやすい。隔膜がバイポーラ膜であれば、低印加電圧で駆動できる。成分濃度の測定が電圧印加前および後に行われることによって除去された成分量も判明する。
電極のうち陽極側の電極と隔膜に挟まれる領域を低ｐＨとし、電極のうち陰極側の電極と隔膜に挟まれる領域を高ｐＨとしすることによって液体中の成分の電子状態を変更できる。また、電極のうち陽極側の電極と隔膜に挟まれる領域を高ｐＨとし、電極のうち陰極側の電極と隔膜に挟まれる領域を低ｐＨとしても液体中の成分の電子状態を変更できる。
【００２２】
陽極側の電極と隔膜に挟まれる領域か、電極のうち陰極側の電極と隔膜に挟まれる領域のうち、どちらか一方の領域について成分濃度の測定を行うことによって成分の測定が可能となる。液体の成分をイオン化し、電気泳動させることによって測定阻害物質を除去できる。電極のうち陰極側の電極付近に隔膜を配置し、電極に絶縁膜を配置することによって電圧印加による電流は流れないという効果も奏する。
【発明を実施するための最良の形態】
【００２３】
以下、図面を用いて本発明を利用した光学測定装置の最適な実施形態を説明する。
【００２４】
（第一の実施形態）
図１は本発明の実施形態のシステム全体を示す図である。図１において、レーザダイオード２１から出射した光束は、レンズ２２でコリメートされ、平行光となり、偏光子２３Ａにより、垂直方向から４５°傾斜した方向に振動する直線偏光になる。次に、液晶素子３１により水平方向もしくは垂直方向の偏光成分が位相変調される。液晶素子３１は、水平方向もしくは垂直方向に液晶分子長軸が揃ったホモジニアス配向の液晶素子であり、電圧印加により液晶分子が立ち、分子長軸方向の屈折率が変化し、位相変調を行う事ができ
る。ここで、液晶素子３１により一方の偏光成分のみに位相変調を加えると、直交する偏光成分同士で干渉させる事になる。
【００２５】
次に、透過光はハーフミラー２４により反射光３６と直進光３０に分岐され、直進光３０は、水平軸と垂直軸が４５°傾斜した４分の１波長板２６Ａに入射し、水平・垂直方向の振動成分をそれぞれ反対方向に回転する円偏光成分に変換する事ができる。さらに、直進光３０は試料容器１に入射し、試料の旋光度に伴った右回り円偏光と左回り円偏光間で±θの位相差が与えられる。さらに、４分の１波長板２６Ａと光軸が一致もしくは直交する４分の１波長板２６Ｂを透過し、左右回りの円偏光が、それぞれ水平もしくは垂直方向に直交する偏光成分に変換される。
【００２６】
水平もしくは垂直方向から４５°傾斜した偏光子２３Ｂを透過する事により、上述の直交する偏光成分間の干渉信号が得られ、一方の光速が位相変調されているためビート信号が得られ、フォトダイオード２９Ａにより電気信号に変換される。フォトダイオード２９Ｂより得られるビート信号は、試料の旋光度の影響は受けておらず、フォトダイオード２９Ａ、２９Ｂの信号間により検出される位相差により、試料の旋光度が検出されることによって濃度を求める事ができる。
【００２７】
試料容器１は直進光３０が試料容器１の中心よりずれた側に透過するように配置されている。電源２は試料容器１に配置された陽電極と陰電極に電圧を印加し、必要に応じて所定の電圧を印加できる。
【００２８】
上記一連の制御は１チップマイコンを含む制御回路３によって行われる。すなわち液晶素子３１は、制御回路２０からの配線３２により伝達される信号により駆動され、電源２は所定の電圧で印加するよう制御回路３からの配線３２により伝達される信号によりＯＮ／ＯＦＦと印加電圧を指示する。また、制御回路３は受光素子２９Ｂからの配線３３により伝達される信号と、受光素子２９Ａからの配線３４により伝達される信号をシステム処理して濃度を計算する機能を持つ。
【００２９】
図２は試料容器１の断面図を示す。容器６は試料容器１の筐体である。電極１０は電源２からの配線４に接続された陽極であり、チタンにプラチナメッキされた金属である。電極１１は電源２からの配線５に接続された陰極であり、チタンにプラチナメッキされた金属である。隔膜９は市販の陰イオン交換膜（例えばネオセプタAMX）であり、陰イオンのみを通過させる。光路断面１２は直進光３０（図１中）の光断面を示し、光学測定の結果は光路断面１２にかかる成分の特性が反映される。
【００３０】
ここで、尿中グルコースを測定することを考える。尿中旋光成分としてはグルコース（比旋光度＋５３度）、ビタミンＣ（比旋光度＋２４度）およびアミノ酸（例えばヒスチジンの比旋光度は−３８度）が想定される。これをそのまま測定すると、各々の成分比と比旋光度に応じた旋光度を測定することとなり、目的のグルコースのみの旋光度を測定することは出来ないので、グルコース以外の旋光成分であるビタミンＣとアミノ酸を除去する必要がある。この除去方法を以下に示す。
【００３１】
まず、電極１０および電極１１間に所定の電圧（例えば１．５Ｖ）を印加すると、両電極では下記の通りの水の電気分解が起こる。
陽極：２Ｈ２Ｏ  →  Ｏ２↑  ＋  ４Ｈ+  ＋  ４ｅ-
陰極：４Ｈ+  ＋  ４ｅ-  →  ２Ｈ２↑
上記反応により、陽極側のｐＨは下がるので酸性になり、陰極側のｐＨは上がるのでアル
カリ性になる。すなわち、隔膜９より電極１０側の領域７は酸性となり、隔膜９より電極１１側の領域８はアルカリ性となる。
【００３２】
この時、領域８中のビタミンＣは陰イオン（Ｖ-）であるので、電気泳動により陰イオン交換膜である隔膜９を通過して領域７に移動する。また、領域８中の両性アミノ酸は領域８がアルカリ性になるため、陰イオン（Ａ-）となるので、Ｖ-同様に電気泳動して領域７に移動する。領域７に移動したアミノ酸は酸性領域のため陽イオンとなるので、電気泳動により領域８に移動しようとするが、陰イオン交換膜を通過することが出来ないので領域８には戻らない。
上記のアミノ酸の特性は一般的に下記の化学式１で表される。
ここで、Ｒは各アミノ酸特有の有機分子を表し、ＰＩはアミノ酸内の陽イオンと陰イオンの解離が等しくなるｐＨ（等電点）を示す。たとえば、尿中に含まれるアミノ酸の１つであるヒスチジン（比旋光度−３８度）のＰＩ点は7.6であるから、低ｐＨ（例えばｐＨ３）では陽イオンであり高ｐＨ（例えばｐＨ９）では陰イオンである。
【化１】
2005283193.tif 000003
【００３３】
すなわち、領域８おける旋光性成分としては、ほとんどイオン化しないグルコース（Ｇ）のみが残留することとなる。領域８に直進光３０を光路断面１２で示すとおり透過すれば、グルコースの旋光度が測定でき、尿中グルコースの濃度が測定できることとなる。
【００３４】
また、あらかじめ電圧印加前の光学測定を行っておくことにより、電圧印加前と後の差から、グルコース以外の旋光性成分の濃度測定を行うことも可能である。すなわち、下記の式を解けばよい。
［電圧印加前旋光度］＝［グルコース旋光度］＋［（ビタミンＣ＋アミノ酸）旋光度］
［電圧印加後旋光度］＝［グルコース旋光度］
さらには、領域９側に関して測定を行い、その増減を測定することによりグルコースおよびグルコース以外の旋光性成分の濃度測定を行うことも可能である。すなわち、下記の式を解けばよい。
［電圧印加前旋光度］＝［グルコース旋光度］＋［（ビタミンＣ＋アミノ酸）旋光度］
［電圧印加後旋光度］＝［グルコース旋光度］＋２［（ビタミンＣ＋アミノ酸）旋光度］ここで、本実施の形態では、隔膜を陰イオン交換膜としたが、通常の隔膜としても良い。
【００３５】
（第二の実施の形態）
図２は第２の実施の形態の試料容器の断面図を示す。ここで、システム全体は第一の実施の形態と同じであり、図１中の試料容器の構造を変更しただけである。容器６は試料容器１の筐体である。電極１０は電源２からの配線４に接続された陽極であり、チタンにプラチナメッキされた金属である。電極１１は電源２からの配線５に接続された陰極であり、チタンにプラチナメッキされた金属である。隔膜４９は市販のバイポーラ膜（例えばネオセプタBP-1E）であり、陽イオンおよび陰イオンを各々特定の方向に通過させる。光路断面１２は直進光３０の光断面を示し、光学測定の結果は光路断面１２にかかる成分の特性が反映される。
【００３６】
ここで、尿中グルコースを測定することを考える。尿中旋光性成分としてはグルコース（比旋光度５３度）、ビタミンＣ（比旋光度２４度）およびアミノ酸（例えばヒスチジンの比旋光度は−３８度）が想定される。これをそのまま測定すると、各々の成分比と比旋光度に応じた旋光度を測定することとなり、目的のグルコースのみの旋光度を測定することは出来ないので、グルコース以外の旋光性成分であるビタミンＣとアミノ酸を除去する
必要がある。この除去方法を以下に示す。
【００３７】
まず、電極１０および電極１１間に各電極で水の電気分解が起こらない程度の電圧（例えば０．９Ｖ）を印加すると、隔膜４９によって尿中の陽イオンは領域４７から領域４８へ電気泳動される。逆に、隔膜４９によって陰イオンは領域４８から領域４７へ電気泳動される。すなわち、尿中でイオンの整流現象が起こり、Ｈ+イオンは領域８に多くなり、ＯＨ-イオンは領域４７に多くなる。従って、領域４７はアルカリ性となり領域４８は酸性となる。
【００３８】
この時、領域４８中のビタミンＣは陰イオン（Ｖ-）であるので、電気泳動により隔膜４９を通過して領域４７へ移動する。また、領域４８中の両性アミノ酸は領域４８が酸性になるため、陽イオン（Ａ+）となるので、電気泳動して電極１１付近に移動する。逆に、領域４７中のアミノ酸は領域４７がアルカリ性になるため、陰イオン（Ａ-）となるので、電気泳動して電極１０付近に移動する。
上記のアミノ酸の特性は一般的に下記の化学式２で表される。
ここで、Ｒは各アミノ酸特有の有機分子を表し、ＰＩはアミノ酸内の陽イオンと陰イオンの解離が等しくなるｐＨ（等電点）を示す。たとえば、尿中に含まれるアミノ酸の１つであるヒスチジン（比旋光度−３８度）のＰＩ点は7.6であるから、低ｐＨ（例えばｐＨ３）では陽イオンであり、高ｐＨ（ｐＨ９で）は陰イオンである。
【化２】
2005283193.tif 000004
【００３９】
すなわち、領域４８おける陽イオン化したアミノ酸（Ａ+）は電極付近に停滞し、光路断面１２付近にはグルコース以外の旋光性成分は存在しない。従って、光学測定によってグルコースの旋光度が測定でき、尿中グルコースの濃度が測定できることとなる。
【００４０】
また、あらかじめ電圧印加前の光学測定を行っておくことにより、電圧印加前と後の差から、グルコース以外の旋光性成分の濃度測定を行うことも可能である。すなわち、下記の式を解けばよい。
［電圧印加前旋光度］＝［グルコース旋光度］＋［（ビタミンＣ＋アミノ酸）旋光度］
［電圧印加後旋光度］＝［グルコース旋光度］
さらには、領域４７側に関して光学測定を行い、その増減を測定することによりグルコース以外の旋光性成分の濃度測定を行うことも可能である。すなわち、上記の式を解けばよい。
【００４１】
（第三の実施の形態）
図４は第三の実施の形態の試料容器の断面図を示す。ここで、システム全体は第一の実施の形態と同じであり、図１中の試料容器の構造を変更しただけである。容器６は試料容器１の筐体である。電極１０は電源２からの配線４に接続された陽極であり、チタンにプラチナメッキされた金属である。電極１１は電源２からの配線５に接続された陰極であり、チタンにプラチナメッキされた金属である。隔膜４９は市販のバイポーラ膜（例えばネオセプタBP-1E）であり、陽イオンおよび陰イオンを各々特定の方向に通過させる。絶縁膜５２および絶縁膜５３は薄型の絶縁体（例えばセラミック）であり、イオンを通過させない。光路断面１２は直進光３０の光断面を示し、光学測定の結果は光路断面１２にかかる成分の特性が反映される。
【００４２】
ここで、尿中グルコースを測定することを考える。尿中旋光性成分としてはグルコース（比旋光度５３度）、ビタミンＣ（比旋光度２４度）およびアミノ酸（例えばヒスチジン
の比旋光度は−３８度）が想定される。これをそのまま測定すると、各々の成分比と比旋光度に応じた旋光度を測定することとなり、目的のグルコースのみの旋光度を測定することは出来ないので、グルコース以外の旋光性成分であるビタミンＣとアミノ酸を除去する必要がある。この除去方法を以下に示す。
【００４３】
まず、電極１０および電極１１間に各電極で所定の電圧（例えば２．０Ｖ）を印加すると、隔膜４９によって尿中の陽イオンは領域５７から領域５８へ電気泳動される。逆に、隔膜４９によって陰イオンは領域５８から領域５７へ電気泳動される。すなわち、尿中でイオンの整流現象が起こり、Ｈ+イオンは領域５８に多くなり、ＯＨ-イオンは領域５７に多くなる。従って、領域４７はアルカリ性となり領域５８は酸性となる。この時、絶縁膜５３により陽イオンであるＨ+イオンは陽極である電極１１に到達しないので、水の電気分解は起こらず、水素は発生しない。また、陽極である電極１０では絶縁膜５２により陰イオンであるＯＨ-イオンは陽極である電極１１に到達しないので、水の電気分解は起こらず、酸素は発生しない。すなわち、電気泳動によるＨ+とＯＨ-の領域５７と領域５８間の移動はあるが、電流は流れない状態となる。
【００４４】
一方、領域５８中のビタミンＣは陰イオン（Ｖ-）であるので、電気泳動により隔膜４９を通過して領域４７へ移動する。また、領域５８中の両性アミノ酸は領域５８が酸性になるため、陽イオン（Ａ+）となるので、電気泳動により絶縁膜５３付近に移動する。逆に、領域５７中のアミノ酸は領域５７がアルカリ性になるため、陰イオン（Ａ-）となるので、電気泳動により絶縁膜５２付近に移動する。
上記のアミノ酸の特性は一般的に下記の化学式３で表される。
ここで、Ｒは各アミノ酸特有の有機分子を表し、ＰＩはアミノ酸内の陽イオンと陰イオンの解離が等しくなるｐＨ（等電点）を示す。たとえば、尿中に含まれるアミノ酸の１つであるヒスチジン（比旋光度−３８度）のＰＩ点は7.6であるから、低ｐＨ（例えばｐＨ３）では陽イオンであり高ｐＨ（例えばｐＨ９）では陰イオンである。
【化３】
2005283193.tif 000005
【００４５】
すなわち、領域５８おける陽イオン化したアミノ酸は絶縁膜５３付近に停滞し、光路断面１２付近にはグルコース以外の旋光性成分は存在しない。従って、光学測定によってグルコースの旋光度が測定でき、尿中グルコースの濃度が測定できることとなる。しかも、この構造であれば水の電気分解は起こらず電流が流れないので、比較的高い電圧（例えば３Ｖ）を印加しても成り立ち、電気泳動によるイオンの移動速度が早くなる。
【００４６】
また、あらかじめ電圧印加前の光学測定を行っておくことにより、電圧印加前と後の差から、グルコース以外の旋光性成分の濃度測定を行うことも可能である。すなわち、下記の
式を解けばよい。
［電圧印加前旋光度］＝［グルコース旋光度］＋［（ビタミンＣ＋アミノ酸）旋光度］
［電圧印加後旋光度］＝［グルコース旋光度］
さらには、領域５７側に関して光学測定を行い、その増減を測定することによりグルコース以外の旋光性成分の濃度測定を行うことも可能である。すなわち、上記の式を解けばよい。
【００４７】
以上の発明によれば、目的の旋光性成分を光学的に測定することが可能である。
【００４８】
上述の実施形態においては、旋光度測定装置の旋光素子として液晶素子を用いているが
、これに限ることではなく、旋光角変調手段としてファラデー素子などを用いた場合においても同様の効果が得られる。また、光学測定装置として旋光度測定装置の場合について説明したが、光測定であれば例えば光透過率などの測定でも良く、イオン交換膜と電極を組み合わせることで、光学測定の阻害となる成分を除去できればよい。さらに、電極については実施形態の素材の金属電極に限るものではなく、カーボン電極や銅に金メッキを施した電極などでも良い。絶縁膜５２および絶縁膜５３はセラミックに限るものではなく絶縁体であれば良く、電極に酸化処理などを施してコーティングしても良い。隔膜９や隔膜４９で分けられる領域については必ずしも等しくなくても良く、必要に応じて設定することが出来る。
【図面の簡単な説明】
【００４９】
【図１】本発明の第一の実施形態における光学測定装置のシステム構成を示す図である。
【図２】本発明の第一の実施形態における光学測定装置の試料容器断面を示す図である。
【図３】本発明の第二の実施形態における光学測定装置の試料容器断面を示す図である。
【図４】本発明の第三の実施形態における光学測定装置の試料容器断面を示す図である。
【図５】従来例における光学測定装置の概略図である。
【符号の説明】
【００５０】
１    試料容器
６    容器
９    隔膜
１１  電極
１２  光路断面
【図１】
2005283193.tif 000006
【図２】
2005283193.tif 000007
【図３】
2005283193.tif 000008
【図４】
2005283193.tif 000009
【図５】
2005283193.tif 000010